(57)【要約】透明表示装置色温度調整システム及び透明表示装置色温度調整方法を提供する。システムは、モード選択モジュール（１）により、表示モード又は融合モードを選択し、表示色温度調整モジュール（２）により、ユーザが選択した動作モードと、環境色温度検出モジュール（３）が取得した、透明表示装置（４）が置かれる環境の色温度とに基づいて異なる色温度調整結果を出力する。ユーザが表示モードを選択すると、表示色温度調整モジュール（２）は、あらかじめ設定された固定色温度を色温度調整結果とし、ユーザが融合モードを選択すると、表示色温度調整モジュール（２）は、環境色温度検出モジュール（３）が取得した、透明表示装置（４）が置かれる環境の色温度と一致する色温度調整結果とする。透明表示装置（４）は、対応する色温度で透明表示を行うように表示色温度調整モジュール（２）に制御される。【選択図】図１
2020521183.tif 000002
【特許請求の範囲】
【請求項１】
透明表示装置色温度調整システムであって、
モード選択モジュールと、
前記モード選択モジュールと通信する表示色温度調整モジュールと、
前記表示色温度調整モジュールと通信する環境色温度検出モジュールと、
前記表示色温度調整モジュールと通信する透明表示装置と、を含み、
前記モード選択モジュールには、ユーザにより選択される表示モード及び融合モードの二つの動作モードが内蔵され、
前記環境色温度検出モジュールは、透明表示装置が置かれる環境の色温度を検出して取得し、
前記表示色温度調整モジュールは、表示モードがユーザに選択されると、あらかじめ設定された固定色温度を色温度調整結果とし、融合モードがユーザに選択されると、環境色温度検出モジュールが取得した、透明表示装置が置かれる環境の色温度と一致する色温度を色温度調整結果とするように、ユーザが選択した動作モードと、環境色温度検出モジュールが取得した、透明表示装置が置かれる環境の色温度とに基づいて異なる色温度調整結果を出力し、
前記透明表示装置は、表示色温度調整モジュールによる色温度調整結果を受信し、対応する色温度で透明表示を行う、透明表示装置色温度調整システム。
【請求項２】
前記モード選択モジュールは、ボタン操作又はタッチ操作により動作モードを選択する、請求項１に記載の透明表示装置色温度調整システム。
【請求項３】
前記表示色温度調整モジュールには、情報受信処理ユニットと、それぞれの色温度に対応する複数のガンマ電圧値が記憶されたガンマ電圧クエリテーブルとが内蔵され、
前記情報受信処理ユニットは、ユーザが選択した動作モード情報と、環境色温度検出モジュールが取得した、透明表示装置が置かれる環境の色温度情報とを受信し、受信した情報に基づいてガンマ電圧クエリテーブルを検索し、受信した情報に対応するガンマ電圧値を選択し、選択したガンマ電圧値を透明表示装置に送信し、選択した前記ガンマ電圧値に対応する色温度で透明表示を行うように透明表示装置を制御する、請求項１に記載の透明表示装置色温度調整システム。
【請求項４】
ユーザが表示モードを選択すると、前記情報受信処理ユニットは、あらかじめ設定された固定色温度に対応するガンマ電圧値をガンマ電圧クエリテーブルから選択し、あらかじめ設定された固定色温度で透明表示を行うように透明表示装置を制御し、
ユーザが融合モードを選択すると、前記情報受信処理ユニットは、環境色温度検出モジュールが取得した、透明表示装置が置かれる環境の色温度に対応するガンマ電圧値をガンマ電圧クエリテーブルから選択し、環境色温度検出モジュールが取得した、透明表示装置が置かれる環境の色温度と一致する色温度で透明表示を行うように透明表示装置を制御する、請求項３に記載の透明表示装置色温度調整システム。
【請求項５】
前記透明表示装置は、ＬＣＤ透明表示装置又はＯＬＥＤ透明表示装置である、請求項１に記載の透明表示装置色温度調整システム。
【請求項６】
透明表示装置色温度調整方法であって、
表示モード及び融合モードの二つの動作モードが内蔵されるモード選択モジュールと、前記モード選択モジュールと通信する表示色温度調整モジュールと、前記表示色温度調整モジュールと通信するものであって、透明表示装置が置かれる環境の色温度を検出して取得する環境色温度検出モジュールと、前記表示色温度調整モジュールと通信する透明表示装置と、を含む透明表示装置色温度調整システムを提供するステップＳ１と、
表示モードがユーザによるモード選択モジュールへの操作により選択されると、ステップＳ３に進み、融合モードがユーザによるモード選択モジュールへの操作により選択されると、ステップＳ４に進むステップＳ２と、
前記表示色温度調整モジュールにより、あらかじめ設定された固定色温度に対応する色温度調整結果を出力して透明表示装置に送信した後、直接ステップＳ５に進むステップＳ３と、
前記表示色温度調整モジュールにより、環境色温度検出モジュールが取得した、透明表示装置が置かれる環境の色温度と一致する色温度調整結果を出力して透明表示装置に送信するステップＳ４と、
前記透明表示装置により、表示色温度調整モジュールによる色温度調整結果を受信し、対応する色温度で透明表示を行うステップＳ５と、を含む、透明表示装置色温度調整方法。
【請求項７】
前記モード選択モジュールは、ボタン操作又はタッチ操作により動作モードを選択する、請求項６に記載の透明表示装置色温度調整方法。
【請求項８】
前記表示色温度調整モジュールには、情報受信処理ユニットと、それぞれの色温度に対応する複数のガンマ電圧値が記憶されたガンマ電圧クエリテーブルとが内蔵され、
前記情報受信処理ユニットは、ユーザが選択した動作モード情報と、環境色温度検出モジュールが取得した、透明表示装置が置かれる環境の色温度情報とを受信し、受信した情報に基づいてガンマ電圧クエリテーブルを検索し、受信した情報に対応するガンマ電圧値を選択し、選択したガンマ電圧値を透明表示装置に送信し、選択した前記ガンマ電圧値に対応する色温度で透明表示を行うように透明表示装置を制御する、請求項６に記載の透明表示装置色温度調整方法。
【請求項９】
ユーザが表示モードを選択すると、前記情報受信処理ユニットは、あらかじめ設定された固定色温度に対応するガンマ電圧値をガンマ電圧クエリテーブルから選択し、あらかじめ設定された固定色温度で透明表示を行うように透明表示装置を制御し、
ユーザが融合モードを選択すると、前記情報受信処理ユニットは、環境色温度検出モジュールが取得した、透明表示装置が置かれる環境の色温度に対応するガンマ電圧値をガンマ電圧クエリテーブルから選択し、環境色温度検出モジュールが取得した、透明表示装置が置かれる環境の色温度と一致する色温度で透明表示を行うように透明表示装置を制御する、請求項８に記載の透明表示装置色温度調整方法。
【請求項１０】
前記透明表示装置は、ＬＣＤ透明表示装置又はＯＬＥＤ透明表示装置である、請求項６に記載の透明表示装置色温度調整方法。
【請求項１１】
透明表示装置色温度調整システムであって、
モード選択モジュールと、
前記モード選択モジュールと通信する表示色温度調整モジュールと、
前記表示色温度調整モジュールと通信する環境色温度検出モジュールと、
前記表示色温度調整モジュールと通信する透明表示装置と、を含み、
前記モード選択モジュールには、ユーザにより選択される表示モード及び融合モードの二つの動作モードが内蔵され、
前記環境色温度検出モジュールは、透明表示装置が置かれる環境の色温度を検出して取得し、
前記表示色温度調整モジュールは、表示モードがユーザに選択されると、あらかじめ設定された固定色温度を色温度調整結果とし、融合モードがユーザに選択されると、環境色温度検出モジュールが取得した、透明表示装置が置かれる環境の色温度と一致する色温度を色温度調整結果とするように、ユーザが選択した動作モードと、環境色温度検出モジュールが取得した、透明表示装置が置かれる環境の色温度とに基づいて異なる色温度調整結果を出力し、
前記透明表示装置は、表示色温度調整モジュールによる色温度調整結果を受信し、対応する色温度で透明表示を行い、
前記モード選択モジュールは、ボタン操作又はタッチ操作により動作モードを選択し、
前記表示色温度調整モジュールには、情報受信処理ユニットと、それぞれの色温度に対応する複数のガンマ電圧値が記憶されたガンマ電圧クエリテーブルとが内蔵され、
前記情報受信処理ユニットは、ユーザが選択した動作モード情報と、環境色温度検出モジュールが取得した、透明表示装置が置かれる環境の色温度情報とを受信し、受信した情報に基づいてガンマ電圧クエリテーブルを検索し、受信した情報に対応するガンマ電圧値を選択し、選択したガンマ電圧値を透明表示装置に送信し、選択した前記ガンマ電圧値に対応する色温度で透明表示を行うように透明表示装置を制御し、
ユーザが表示モードを選択すると、前記情報受信処理ユニットは、あらかじめ設定された固定色温度に対応するガンマ電圧値をガンマ電圧クエリテーブルから選択し、あらかじめ設定された固定色温度で透明表示を行うように透明表示装置を制御し、
ユーザが融合モードを選択すると、前記情報受信処理ユニットは、環境色温度検出モジュールが取得した、透明表示装置が置かれる環境の色温度に対応するガンマ電圧値をガンマ電圧クエリテーブルから選択し、環境色温度検出モジュールが取得した、透明表示装置が置かれる環境の色温度と一致する色温度で透明表示を行うように透明表示装置を制御し、
前記透明表示装置は、ＬＣＤ透明表示装置又はＯＬＥＤ透明表示装置である、透明表示装置色温度調整システム。
【発明の詳細な説明】
【技術分野】
【０００１】
本発明は、透明表示装置技術分野に関し、特に透明表示装置色温度調整システム及び透明表示装置色温度調整方法に関するものである。
【背景技術】
【０００２】
表示技術分野では、液晶表示装置（Ｌｉｑｕｉｄ  ｃｒｙｓｔａｌ  ｄｉｓｐｌａｙ，ＬＣＤ）や有機発光ダイオード表示装置（Ｏｒｇａｎｉｃ  Ｌｉｇｈｔ  Ｅｍｉｔｔｉｎｇ  Ｄｉｏｄｅ，ＯＬＥＤ）などのフラットパネル表示装置が徐々に陰極線管（Ｃａｔｈｏｄｅ  Ｒａｙ  Ｔｕｂｅ，ＣＲＴ）表示装置を代替してきた。ＬＣＤは、薄型、省電力、無放射などの利点を多く有し、幅広く適用されている。ＯＬＥＤは、自発光、低駆動電圧、高発光効率、短応答時間、高解像度とコントラスト、ほぼ１８０度の視野角、幅広い使用温度範囲、柔軟な表示や大面積フルカラー表示が実現可能などの利点を多く有し、「幻の表示装置」として称えられている。ＯＬＥＤは、駆動方法に応じてパッシブマトリックス（Ｐａｓｓｉｖｅ  Ｍａｔｒｉｘ，ＰＭ）タイプ及びアクティブマトリックス（Ａｃｔｉｖｅ  Ｍａｔｒｉｘ，ＡＭ）タイプの二種類に分類される。
【０００３】
しかしながら、従来のＬＣＤやＯＬＥＤは、例えば、表示を行うとともに表示装置を通して表示装置の背後の景色を見ることができるなど、あらゆる場面に適しているわけではない。このようなニーズを満たせる透明表示装置は、新しい表示技術としてますます注目を集めている。透明表示装置は、画面を表示するとともに、観察者が表示装置を通して表示装置の背後の背景を見ることができる。そして、表示画面と背景との融合により、通常の表示装置よりも優れた視聴体験を提供し、展示、拡張現実（Ａｕｇｍｅｎｔｅｄ  Ｒｅａｌｉｔｙ，ＡＲ）などの効果に優れたキャリアとして使用することができる。
【０００４】
色温度は、表示装置の表示品質に大きな影響を与える。通常のＬＣＤ又はＯＬＥＤ表示装置の色温度は、ユーザの好みに応じて調整されることが多い。そして、表示効果のみを考慮して色温度を調整すると、透明表示装置の特殊な用途に適さない。従来の透明表示装置の色温度が固定されているため、透明表示装置が置かれる環境の色温度が変化しても、透明表示装置の色温度は変化しない。このように、画像表示と背景表現を同時に行う場合、表示される画像と背景に大きな色温度差が存在する可能性があり、ユーザの視聴体験が優れない。
【０００５】
ＣＮ１０３５０４８８１Ａには、センサモジュール及びタッチモジュールを含み、環境センシング結果とユーザのタッチコマンドに基づいて、照明光源の色温度、輝度、スペクトルなどの特性を調整することにより、表示効果を改善するインタラクティブショーウィンドウが提案されている。しかしながら、当該特許は、バックライト光源を使用するＬＣＤ透明表示装置にのみ適用されるので、その適用場面が制限され、環境色温度に対応して透明表示装置の色温度を調整することを実現することはできない。
【発明の概要】
【０００６】
本発明の目的は、透明表示装置の動作モードに基づいて異なる色温度調整を行うことにより、透明表示装置の色温度と環境色温度とを調和させ、透明表示装置の視聴体験を改善することができる透明表示装置色温度調整システムを提供することにある。
【０００７】
本発明の他の目的は、透明表示装置の動作モードに基づいて異なる色温度調整を行うことにより、透明表示装置の色温度と環境色温度とを調和させ、透明表示装置の視聴体験を改善することができる透明表示装置色温度調整方法を提供することにある。
【０００８】
上記目的を実現するために、本発明によれば、透明表示装置色温度調整システムであって、モード選択モジュールと、前記モード選択モジュールと通信する表示色温度調整モジュールと、前記表示色温度調整モジュールと通信する環境色温度検出モジュールと、前記表示色温度調整モジュールと通信する透明表示装置と、を含み、
前記モード選択モジュールには、ユーザにより選択される表示モード及び融合モードの二つの動作モードが内蔵され、
前記環境色温度検出モジュールは、透明表示装置が置かれる環境の色温度を検出して取得し、
前記表示色温度調整モジュールは、表示モードがユーザに選択されると、あらかじめ設定された固定色温度を色温度調整結果とし、融合モードがユーザに選択されると、環境色温度検出モジュールが取得した、透明表示装置が置かれる環境の色温度と一致する色温度を色温度調整結果とするように、ユーザが選択した動作モードと、環境色温度検出モジュールが取得した、透明表示装置が置かれる環境の色温度とに基づいて異なる色温度調整結果を出力し、
前記透明表示装置は、表示色温度調整モジュールによる色温度調整結果を受信し、対応する色温度で透明表示を行う透明表示装置色温度調整システムが提供される。
【０００９】
前記モード選択モジュールは、ボタン操作又はタッチ操作により動作モードを選択する。
【００１０】
前記表示色温度調整モジュールには、情報受信処理ユニットと、それぞれの色温度に対応する複数のガンマ電圧値が記憶されたガンマ電圧クエリテーブルとが内蔵され、
前記情報受信処理ユニットは、ユーザが選択した動作モード情報と、環境色温度検出モジュールが取得した、透明表示装置が置かれる環境の色温度情報とを受信し、受信した情報に基づいてガンマ電圧クエリテーブルを検索し、受信した情報に対応するガンマ電圧値を選択し、選択したガンマ電圧値を透明表示装置に送信し、選択した前記ガンマ電圧値に対応する色温度で透明表示を行うように透明表示装置を制御する。
【００１１】
ユーザが表示モードを選択すると、前記情報受信処理ユニットは、あらかじめ設定された固定色温度に対応するガンマ電圧値をガンマ電圧クエリテーブルから選択し、あらかじめ設定された固定色温度で透明表示を行うように透明表示装置を制御し、
ユーザが融合モードを選択すると、前記情報受信処理ユニットは、環境色温度検出モジュールが取得した、透明表示装置が置かれる環境の色温度に対応するガンマ電圧値をガンマ電圧クエリテーブルから選択し、環境色温度検出モジュールが取得した、透明表示装置が置かれる環境の色温度と一致する色温度で透明表示を行うように透明表示装置を制御する。
【００１２】
前記透明表示装置は、ＬＣＤ透明表示装置又はＯＬＥＤ透明表示装置である。
【００１３】
さらに、本発明によれば、透明表示装置色温度調整方法であって、表示モード及び融合モードの二つの動作モードが内蔵されるモード選択モジュールと、前記モード選択モジュールと通信する表示色温度調整モジュールと、前記表示色温度調整モジュールと通信するものであって、透明表示装置が置かれる環境の色温度を検出して取得する環境色温度検出モジュールと、前記表示色温度調整モジュールと通信する透明表示装置と、を含む透明表示装置色温度調整システムを提供するステップＳ１と、
表示モードがユーザによるモード選択モジュールへの操作により選択されると、ステップＳ３に進み、融合モードがユーザによるモード選択モジュールへの操作により選択されると、ステップＳ４に進むステップＳ２と、
前記表示色温度調整モジュールにより、あらかじめ設定された固定色温度に対応する色温度調整結果を出力して透明表示装置に送信した後、直接ステップＳ５に進むステップＳ３と、
前記表示色温度調整モジュールにより、環境色温度検出モジュールが取得した、透明表示装置が置かれる環境の色温度と一致する色温度調整結果を出力して透明表示装置に送信するステップＳ４と、
前記透明表示装置により、表示色温度調整モジュールによる色温度調整結果を受信し、対応する色温度で透明表示を行うステップＳ５と、を含む透明表示装置色温度調整方法が提供される。
【００１４】
前記モード選択モジュールは、ボタン操作又はタッチ操作により動作モードを選択する。
【００１５】
前記表示色温度調整モジュールには、情報受信処理ユニットと、それぞれの色温度に対応する複数のガンマ電圧値が記憶されたガンマ電圧クエリテーブルとが内蔵され、
前記情報受信処理ユニットは、ユーザが選択した動作モード情報と、環境色温度検出モジュールが取得した、透明表示装置が置かれる環境の色温度情報とを受信し、受信した情報に基づいてガンマ電圧クエリテーブルを検索し、受信した情報に対応するガンマ電圧値を選択し、選択したガンマ電圧値を透明表示装置に送信し、選択した前記ガンマ電圧値に対応する色温度で透明表示を行うように透明表示装置を制御する。
【００１６】
ユーザが表示モードを選択すると、前記情報受信処理ユニットは、あらかじめ設定された固定色温度に対応するガンマ電圧値をガンマ電圧クエリテーブルから選択し、あらかじめ設定された固定色温度で透明表示を行うように透明表示装置を制御し、
ユーザが融合モードを選択すると、前記情報受信処理ユニットは、環境色温度検出モジュールが取得した、透明表示装置が置かれる環境の色温度に対応するガンマ電圧値をガンマ電圧クエリテーブルから選択し、環境色温度検出モジュールが取得した、透明表示装置が置かれる環境の色温度と一致する色温度で透明表示を行うように透明表示装置を制御する。
【００１７】
前記透明表示装置は、ＬＣＤ透明表示装置又はＯＬＥＤ透明表示装置である。
【００１８】
さらに、本発明によれば、透明表示装置色温度調整システムであって、モード選択モジュールと、前記モード選択モジュールと通信する表示色温度調整モジュールと、前記表示色温度調整モジュールと通信する環境色温度検出モジュールと、前記表示色温度調整モジュールと通信する透明表示装置と、を含み、
前記モード選択モジュールには、ユーザにより選択される表示モード及び融合モードの二つの動作モードが内蔵され、
前記環境色温度検出モジュールは、透明表示装置が置かれる環境の色温度を検出して取得し、
前記表示色温度調整モジュールは、表示モードがユーザに選択されると、あらかじめ設定された固定色温度を色温度調整結果とし、融合モードがユーザに選択されると、環境色温度検出モジュールが取得した、透明表示装置が置かれる環境の色温度と一致する色温度を色温度調整結果とするように、ユーザが選択した動作モードと、環境色温度検出モジュールが取得した、透明表示装置が置かれる環境の色温度とに基づいて異なる色温度調整結果を出力し、
前記透明表示装置は、表示色温度調整モジュールによる色温度調整結果を受信し、対応する色温度で透明表示を行い、
前記モード選択モジュールは、ボタン操作又はタッチ操作により動作モードを選択し、
前記表示色温度調整モジュールには、情報受信処理ユニットと、それぞれの色温度に対応する複数のガンマ電圧値が記憶されたガンマ電圧クエリテーブルとが内蔵され、
前記情報受信処理ユニットは、ユーザが選択した動作モード情報と、環境色温度検出モジュールが取得した、透明表示装置が置かれる環境の色温度情報とを受信し、受信した情報に基づいてガンマ電圧クエリテーブルを検索し、受信した情報に対応するガンマ電圧値を選択し、選択したガンマ電圧値を透明表示装置に送信し、選択した前記ガンマ電圧値に対応する色温度で透明表示を行うように透明表示装置を制御し、
ユーザが表示モードを選択すると、前記情報受信処理ユニットは、あらかじめ設定された固定色温度に対応するガンマ電圧値をガンマ電圧クエリテーブルから選択し、あらかじめ設定された固定色温度で透明表示を行うように透明表示装置を制御し、
ユーザが融合モードを選択すると、前記情報受信処理ユニットは、環境色温度検出モジュールが取得した、透明表示装置が置かれる環境の色温度に対応するガンマ電圧値をガンマ電圧クエリテーブルから選択し、環境色温度検出モジュールが取得した、透明表示装置が置かれる環境の色温度と一致する色温度で透明表示を行うように透明表示装置を制御し、
前記透明表示装置は、ＬＣＤ透明表示装置又はＯＬＥＤ透明表示装置である透明表示装置色温度調整システムが提供される。
【発明の効果】
【００１９】
本発明が提供する透明表示装置色温度調整システムは、モード選択モジュールにより、表示モード又は融合モードを選択し、環境色温度検出モジュールにより、透明表示装置が置かれる環境の色温度を検出して取得し、表示色温度調整モジュールにより、ユーザが選択した動作モードと、環境色温度検出モジュールが取得した、透明表示装置が置かれる環境の色温度とに基づいて異なる色温度調整結果を出力する。ユーザが表示モードを選択すると、前記表示色温度調整モジュールは、あらかじめ設定された固定色温度を色温度調整結果とし、ユーザが融合モードを選択すると、前記表示色温度調整モジュールは、環境色温度検出モジュールが取得した、透明表示装置が置かれる環境の色温度と一致する色温度を色温度調整結果とする。透明表示装置は、色温度調整結果を受信し、対応する色温度で透明表示を行うように表示色温度調整モジュールに制御されるため、透明表示装置の動作モードに基づいて異なる色温度調整を行うことが実現される。これにより、透明表示装置の色温度と環境色温度とを調和させ、透明表示装置の視聴効果を改善することができる。本発明が提供する透明表示装置色温度調整方法は、上記透明表示装置色温度調整システムを適用し、透明表示装置の動作モードに基づいて異なる色温度調整を行うことにより、透明表示装置の色温度と環境色温度とを調和させ、透明表示装置の視聴体験を改善することができる。
【図面の簡単な説明】
【００２０】
本発明の特徴及び技術的内容をさらに理解するために、以下の本発明に係る詳細な説明及び図面を参照されたい。ただし、図面は、参照及び説明のためにのみ提供されるものであり、本発明を限定するためのものではない。
【００２１】
【図１】本発明に係る透明表示装置色温度調整システムの構造を示す概略図である。
【図２】本発明に係る透明表示装置色温度調整システムを示す構造ブロック図である。
【図３】本発明に係る透明表示装置色温度調整システムにおける表示色温度調整モジュールを示す構造ブロック図である。
【図４】本発明に係る透明表示装置色温度調整システムの表示モードにおける動作状態を示す概略図である。
【図５】本発明に係る透明表示装置色温度調整システムの融合モードにおける動作状態を示す概略図である。
【図６】本発明に係る透明表示装置色温度調整方法のフローチャートである。
【発明を実施するための形態】
【００２２】
本発明に採用される技術的手段及び効果をさらに詳述するために、以下、本発明の好適実施例及び図面を参照しながら詳細に説明する。
【００２３】
図１から図５を同時に参照して、本発明は、まず透明表示装置色温度調整システムを提供する。図１及び図２に示すように、本発明に係る透明表示装置色温度調整システムは、モード選択モジュール１と、前記モード選択モジュール１と通信する表示色温度調整モジュール２と、前記表示色温度調整モジュール２と通信する環境色温度検出モジュール３と、前記表示色温度調整モジュール２と通信する透明表示装置４と、を含む。
【００２４】
前記モード選択モジュール１には、ユーザにより選択される表示モード及び融合モードの二つの動作モードが内蔵される。表示モードは、透明表示装置４の表示アプリケーションを強調し、表示効果の最適化を求める。融合モードは、透明表示装置４の透明アプリケーションを強調し、透明表示装置４により表示される画像と透明表示装置４の背後の背景との融合を求める。具体的に、前記モード選択モジュール１は、ボタン操作又はタッチ操作により動作モードを選択することができるが、これに限定されない。
【００２５】
前記環境色温度検出モジュール３は、透明表示装置４が置かれる環境の色温度を検出して取得する。
【００２６】
前記表示色温度調整モジュール２は、ユーザが選択した動作モードと、環境色温度検出モジュール３が取得した、透明表示装置４が置かれる環境の色温度とに基づいて異なる色温度調整案を作成し、異なる色温度調整結果を出力する。具体的に、表示モードがユーザに選択されると、前記表示色温度調整モジュール２は、あらかじめ設定された固定色温度を色温度調整結果とする。一方、融合モードがユーザに選択されると、前記表示色温度調整モジュール２は、環境色温度検出モジュール３が取得した、透明表示装置４が置かれる環境の色温度と一致する色温度を色温度調整結果とする。
【００２７】
前記透明表示装置４は、表示色温度調整モジュール２による色温度調整結果を受信し、対応する色温度で透明表示を行う。具体的に、前記透明表示装置４は、ＬＣＤ透明表示装置又はＯＬＥＤ透明表示装置である。
【００２８】
表示色温度調整モジュール２は、本発明に係る透明表示装置色温度調整システムのコアモジュールである。図３に示すように、前記表示色温度調整モジュール２には、情報受信処理ユニット２１と、それぞれの色温度に対応する複数のガンマ電圧値が記憶されたガンマ電圧クエリテーブル２２とが内蔵される。
【００２９】
前記情報受信処理ユニット２１は、ユーザが選択した動作モード情報と、環境色温度検出モジュール３が取得した、透明表示装置４が置かれる環境の色温度情報とを受信する。そして、記情報受信処理ユニット２１は、受信した情報に基づいてガンマ電圧クエリテーブル２２を検索し、受信した情報に対応するガンマ電圧値を選択し、選択したガンマ電圧値を透明表示装置４に送信し、選択した前記ガンマ電圧値に対応する色温度で透明表示を行うように透明表示装置４を制御する。さらに、ユーザが表示モードを選択すると、前記情報受信処理ユニット２１は、あらかじめ設定された固定色温度に対応するガンマ電圧値をガンマ電圧クエリテーブル２２から選択し、あらかじめ設定された固定色温度で透明表示を行うように透明表示装置４を制御する。一方、ユーザが融合モードを選択すると、前記情報受信処理ユニット２１は、環境色温度検出モジュール３が取得した、透明表示装置４が置かれる環境の色温度に対応するガンマ電圧値をガンマ電圧クエリテーブル２２から選択し、環境色温度検出モジュール３が取得した、透明表示装置４が置かれる環境の色温度と一致する色温度で透明表示を行うように透明表示装置４を制御する。
【００３０】
本発明に係る透明表示装置色温度調整システムをデパートに適用することを例として、図４に示すように、透明表示装置４が商品広告の再生のみを行う場合、モード選択モジュール１により表示モードが選択される。この場合、環境色温度検出モジュール３は、透明表示装置４が置かれる環境の色温度が６５００Ｋであることを検出するが、表示モードでは、前記表示色温度調整モジュール２における情報受信処理ユニット２１は、あらかじめ設定された固定色温度である９３００Ｋに対応するガンマ電圧値をガンマ電圧クエリテーブル２２から選択し、あらかじめ設定された９３００Ｋの固定色温度で透明表示を行うように透明表示装置４を制御することにより、最適な表示効果を達成することができる。図５に示すように、透明表示装置４が透明表示装置４の背後に配置される商品実物を展示しながら当該商品実物の補助展示情報を表示する必要がある場合、モード選択モジュール１により融合モードが選択され、環境色温度検出モジュール３は、透明表示装置４が置かれる環境の色温度が６５００Ｋであることを検出して取得する。前記表示色温度調整モジュール２における情報受信処理ユニット２１は、この二つの情報に基づいて６５００Ｋの環境色温度に対応するガンマ電圧値をガンマ電圧クエリテーブル２２から選択し、６５００Ｋの色温度で透明表示を行うように透明表示装置４を制御することにより、透明表示装置４によって表示される補助展示情報と商品実物が置かれる環境の色温度とが一致し、表示色温度と環境色温度との明らかな相違によって引き起こされる不調和が回避され、透明表示装置の視聴体験が改善される。
【００３１】
図６を参照して、同じ発明概念に基づいて、本発明は、透明表示装置色温度調整方法をさらに提供し、以下のステップを含む。
【００３２】
図１及び図２を参照して、ステップＳ１では、表示モード及び融合モードの二つの動作モードが内蔵されるモード選択モジュール１と、前記モード選択モジュールと通信する表示色温度調整モジュール２と、前記表示色温度調整モジュールと通信するものであって、透明表示装置が置かれる環境の色温度を検出して取得する環境色温度検出モジュール３と、前記表示色温度調整モジュールと通信する透明表示装置４と、を含む透明表示装置色温度調整システムを提供する。
【００３３】
前記環境色温度検出モジュール３による検出、且つ透明表示装置４の置かれる環境の色温度を取得する。
【００３４】
具体的に、図３に示すように、前記表示色温度調整モジュール２には、情報受信処理ユニット２１と、それぞれの色温度に対応する複数のガンマ電圧値が記憶されたガンマ電圧クエリテーブル２２とが内蔵される。
【００３５】
透明表示装置４は、ＬＣＤ透明表示装置又はＯＬＥＤ透明表示装置である。
【００３６】
ステップＳ２では、表示モードがユーザによるモード選択モジュール１への操作により選択されると、ステップＳ３に進み、融合モードがユーザによるモード選択モジュール１への操作により選択されると、ステップＳ４に進む。
【００３７】
具体的に、当該ステップＳ２では、モード選択モジュール１へのボタン操作又はタッチ操作により動作モードを選択することができるが、これに限定されない。
【００３８】
ステップＳ３では、前記表示色温度調整モジュール２により、あらかじめ設定された固定色温度に対応する色温度調整結果を出力して透明表示装置に送信した後、直接ステップＳ５に進む。
【００３９】
具体的に、前記表示色温度調整モジュール２における情報受信処理ユニット２１は、ユーザが選択した表示モードの動作モード情報を受信し、受信した情報に基づいてガンマ電圧クエリテーブル２２を検索し、固定ガンマ電圧値をガンマ電圧クエリテーブル２２から選択して透明表示装置４に送信する。当該固定ガンマ電圧値は、あらかじめ設定された固定色温度に対応し、あらかじめ設定された固定色温度で透明表示を行うように透明表示装置４を制御することができる。
【００４０】
ステップＳ４では、前記表示色温度調整モジュール２により、環境色温度検出モジュール３が取得した、透明表示装置４が置かれる環境の色温度と一致する色温度調整結果を出力して透明表示装置４に送信する。
【００４１】
具体的に、前記表示色温度調整モジュール２における情報受信処理ユニット２１は、ユーザが選択した表示モードの動作モード情報と、環境色温度検出モジュール３が取得した、透明表示装置４が置かれる環境の色温度情報とを受信する。そして、情報受信処理ユニット２１は、受信した情報に基づいてガンマ電圧クエリテーブル２２を検索し、環境色温度検出モジュール３が取得した、透明表示装置４が置かれる環境の色温度情報に対応するガンマ電圧値をガンマ電圧クエリテーブル２２から選択する。すると、情報受信処理ユニット２１は、当該ガンマ電圧値が対応する色温度を、環境色温度に一致させることにより、環境色温度と一致する色温度で透明表示を行うように透明表示装置４を制御することができる。
【００４２】
ステップＳ５では、前記透明表示装置４により、表示色温度調整モジュール２による色温度調整結果を受信し、対応する色温度で透明表示を行う。
【００４３】
具体的に、上記ステップＳ３に続く場合、前記透明表示装置４は、あらかじめ設定された固定色温度で透明表示を行い、上記ステップＳ４に続く場合、前記透明表示装置４は、環境色温度検出モジュール３が取得した、透明表示装置４が置かれる環境の色温度と一致する色温度で透明表示を行う。
【００４４】
上記透明表示装置色温度調整方法は、透明表示装置の動作モードに基づいて異なる色温度調整を行うことにより、透明表示装置の色温度と環境色温度とを調和させ、透明表示装置の視聴体験を改善することができる。
【００４５】
以上のように、本発明に係る透明表示装置色温度調整システムは、モード選択モジュールにより、表示モード又は融合モードを選択し、環境色温度検出モジュールにより、透明表示装置が置かれる環境の色温度を検出して取得し、表示色温度調整モジュールにより、ユーザが選択した動作モードと、環境色温度検出モジュールが取得した、透明表示装置が置かれる環境の色温度とに基づいて異なる色温度調整結果を出力する。ユーザが表示モードを選択すると、前記表示色温度調整モジュールは、あらかじめ設定された固定色温度を色温度調整結果とし、ユーザが融合モードを選択すると、前記表示色温度調整モジュールは、環境色温度検出モジュールが取得した、透明表示装置が置かれる環境の色温度と一致する色温度を色温度調整結果とする。透明表示装置は、色温度調整結果を受信し、対応する色温度で透明表示を行うように表示色温度調整モジュールに制御されるため、透明表示装置の動作モードに基づいて異なる色温度調整を行うことが実現される。これにより、透明表示装置の色温度と環境色温度とを調和させ、透明表示装置の視聴効果を改善することができる。本発明に係る透明表示装置色温度調整方法は、上記透明表示装置色温度調整システムを適用し、透明表示装置の動作モードに基づいて異なる色温度調整を行うことにより、透明表示装置の色温度と環境色温度とを調和させ、透明表示装置の視聴体験を改善することができる。
【００４６】
上記のように、当業者にとって、本発明の技術手段及び技術的概念に従って他の様々な対応する変更及び変形を行うことができ、これらの変更及び変形のすべては、添付の特許請求の範囲の保護範囲に属すべきである。
【図１】
2020521183.tif 000003
【図２】
2020521183.tif 000004
【図３】
2020521183.tif 000005
【図４】
2020521183.tif 000006
【図５】
2020521183.tif 000007
【図６】
2020521183.tif 000008
【国際調査報告】
2020521183.tif 000009
2020521183.tif 000010
2020521183.tif 000011
2020521183.tif 000012
2020521183.tif 000013
2020521183.tif 000014